(57)【特許請求の範囲】
【請求項１】
編み糸とカバリーングヤーン及び／又はゴム糸とでもって爪先部、足甲部、底部、踵部、レッグ部及び履口部を編成してなる靴下において、
帯状をなす上記履口部の前半部分は、少なくとも１本の表糸を平編み、メッシュ編み、パイル編み又はこれらの組合せにて編成するとともに、裏糸としてゴム糸又はカバリングヤーンを編み込んで構成されている一方、
上記履口部の後半部分が、少なくとも１本の表糸をパイル編みのシンカー乗せ編みにて編成するとともに、裏糸としてゴム糸又はカバリングヤーンをコース方向に１目ないし３目飛ばしながら編み込んで構成されており、
上記履口部の後半部分は前半部分に比して高くなっているとともに、その伸びは上記履口部の前半部分に比して大きくなっていることを特徴とする靴下。
【請求項２】
上記履口部の後半部分は、表糸として１本の５番ないし１５番の綿糸又は綿アクリル混紡糸あるいは１５番ないし３０番の毛糸又は毛アクリル混紡糸を、裏糸として１本の９０番ないし１００番のゴム糸又はカバリーングヤーンを用いて編成されている請求項１記載の靴下。
【請求項３】
上記履口部の後半部分は、表糸として２本又は３本の２番ないし１５番の綿糸又は綿アクリル混紡糸あるいは７番ないし２５番の毛糸又は毛アクリル混紡糸を、裏糸として１本の９０番ないし１００番のゴム糸又はカバリーングヤーンを用いて編成されている請求項１記載の靴下。
【発明の詳細な説明】
【０００１】
【発明の属する技術分野】
この発明は履口部の適度な締め付け力を確保しつつ、老人や病人にも簡単かつスムースに履くことができるようにした靴下に関する。
【０００２】
【従来の技術】
通常、靴下では図４に示されるように、履口部３０、レッグ部３１、足甲部３２、底部３３、爪先部３４及び踵部３５についてはその裏糸のカバリングヤーン、具体的にはナイロン巻ポリウレタンの適度な伸縮弾性により、靴下を履いた人の脚や足に皺なくフィットさせる一方、履口部３０には更にゴム糸を編み込み、ゴム糸の大きな伸縮弾性によって靴下がずり落ちるのを防止することが行われている。
【０００３】
ところで、長期にわたって寝ていたような老人や病人が他人の手を煩わせることなく、自分で靴下を履こうとする場合、足腰の筋肉が弱っていることから、健常者と同様の動きで履くことは難しく、片手で身体を支え、残った手で靴下の履口部を持ち、靴下の履口部に爪先を入れてから靴下を引き上げて足に履くという煩雑な動作をとることが多い。
【０００４】
【発明が解決しようとする課題】
しかし、従来の編み方では靴下のずり落ちを防止するために靴下の履口部の伸縮弾性を大きく設定しているので、老人や病人が片手で靴下の履口部を持って爪先を履口部に差し込むことが難しく、たとえ上手く差し込むことができても今度は靴下を引き上げることができず、結局のところ介護の人の手を煩わせることが多く、これが靴下を履く際の心理的な負担となっていた。
【０００５】
本発明は、かかる問題点に鑑み、履口部の適度な締め付け力を確保しつつ、老人や病人にも簡単に履くことができるようにした靴下を提供することを課題とする。
【０００６】
【課題を解決するための手段】
本件発明者は上述の課題を解決すべく鋭意研究した結果、靴下の履口部の伸縮弾性を小さくすればよいことを知見するに至ったが、履口部の伸縮弾性を単に小さくすると、靴下がずり落ちやすくなる一方、履口部の後半部分にパイル編みのシンカー乗せ編みを採用し、しかもゴム糸をコース方向に適当に飛ばして編成すると、伸縮弾性が小さく、伸びがパイル編みや平編みに比して２倍〜３倍以上になるように編成でき、しかも履口部の前半部分の伸縮弾性によって靴下がずり落ちるのを防止できることを着目し、本発明を完成するに至った。
【０００７】
即ち、本発明に係る靴下は、編み糸とカバリーングヤーン及び／又はゴム糸とでもって爪先部、足甲部、底部、踵部、レッグ部及び履口部を編成してなる靴下において、上記履口部の後方部分が、少なくとも１本の表糸をパイル編みのシンカー乗せ編みにて編成するとともに、裏糸としてゴム糸又はカバリングヤーンをコース方向に１目ないし３目飛ばしながら編み込んで構成されていることを特徴とする。
【０００８】
本発明の特徴の１つは靴下の履口部の後半部分をパイル編みのシンカー乗せ編みによって編成し、しかもゴム糸をコース方向に１目ないし３目飛ばしながら編み込むようにした点にある。
【０００９】
これにより、靴下の履口部の後半部分は伸びが平編みやパイル編み等に比して２倍以上となるので、足腰の筋肉の弱った老人や病人が片手で身体を支え、残った手で靴下の履口部の後半部分を持ち、靴下の履口部に爪先を差し込もうとすると、履口部の後半部分が小さな力で大きく伸び、爪先を履口部内に簡単にかつスムーズに差し込むことができる。
【００１０】
また、爪先を履口部に差し込んだ後、靴下を引き上げると、後半部分の小さな伸縮弾性に起因して履口部の全体が十分に伸び、軽くしかもスムーズに靴下を引き上げて靴下を足に履くことができる。
【００１１】
特に、パイル編みのシンカー乗せ編みとし、しかもゴム糸をコース方向に１目ないし３目飛ばしながら編み込むと、履口部の後半部分が前半部分に比して高くなってあたかも靴べらの形状をなすので、足腰の筋肉の弱った老人や病人でも履口部の後半部分を確実につかんで履口部に爪先を差し込み、靴下を引き上げることができる。
【００１２】
また、履口部の後半部分はシンカー乗せ編みの特性によって小さいながらも伸縮弾性を有するので、履口部前半部分の大きな伸縮弾性と相まって全体としては適度な伸縮弾性になり、靴下がずり落ちるのを確実に防止できる。
【００１３】
ここで、履口部の前半部分及び後半部分とは履口部を前後２つに分けた時の前半部分及び後半部分をいうが、靴下の大きさや履口部の伸縮弾性の大きさ、その他の条件によっては前半部分が大きく、後半部分が小さい靴下も含まれ、又逆に、前半部分が大きく、後半部分が小さい靴下も含まれる。
【００１４】
また、ゴム糸又はカバリングヤーンを履口部後半部分の裏糸としてコース方向に１目ないし３目飛ばしながら編み込むようにしたのは、適度な伸縮弾性を確保するためであり、３目以上になると、伸縮弾性が小さくなり過ぎて使用に耐えないおそれがある。
【００１５】
本発明はレッグ部の短いソックス、レッグ部の長いハイソックスのいずれにも適用できる。
【００１６】
靴下の爪先部、足甲部、底部、踵部及びレッグ部はどのような編み方で編成してもよく、具体的には靴下の用途に応じて適宜選択すればよいが、平編み、メッシュ編み、パイル編み又はこれらの組合せにて編成されることができる。
【００１７】
履口部後半部分に使用する編み糸は表糸として１本の５番ないし１５番の綿糸又は綿アクリル混紡糸、あるいは１５番ないし３０番の毛糸又は毛アクリル混紡糸を、裏糸として１本の９０番ないし１００番のゴム糸又はカバリーングヤーンを用いて編成することができ、又表糸として２本ないし３本の２番ないし１５番の綿糸又は綿アクリル混紡糸、あるいは７番ないし２５番の毛糸又は毛アクリル混紡糸を、裏糸として１本の９０番ないし１００番のゴム糸又はカバリーングヤーンを用いて編成することができる。
【００１８】
【発明の実施の形態】
以下、本発明を図面に示す具体例に基づいて詳細に説明する。図１は本発明に係る靴下の好ましい実施形態を示す。図において、靴下は履口部１０、レッグ部１１、足甲部１２、底部１３、踵部１５及び爪先部１４から構成されている。
【００１９】
また、履口部１０の前半部分２０は表糸して２本の８番ないし１５番の毛アクリル混紡糸を用い、パイル編みにて編成されるとともに、裏糸して１本の９０番のゴム糸を用いて編み込まれている。
【００２０】
履口部１０の後半部分２１は表糸して２本の７番ないし１５番の毛アクリル混紡糸を用い、パイル編みのシンカー乗せ編みにて編成されるとともに、裏糸して１本の９０番のゴム糸を用い、３目飛ばしで編み込まれている。
【００２１】
また、レッグ部１１、足甲部１２、底部１３、踵部１５及び爪先部１４は表糸として７番ないし１５番の毛アクリル混紡糸を、裏糸として４０デニールのナイロンと７０デニールのポリウレタンからなる１本のナイロン巻ポリウレタン糸を、１本の９０番のゴム糸を用いてパイル編みにて編成されている。
【００２２】
ここで、本例におけるパイル編みを説明すると、図２に示されるように、表糸４０ばシンカー５０の頭５１に乗せ、裏糸４１は乗せずに編成する一方、ゴム糸４４はシンカー５０の頭に乗せずにコース方向に適当な目数飛ばしてながら編み込んでいる。従って、パイル４３の高さは図２の(a) における寸法ｔによって決まる。
【００２３】
他方、パイル編みのシンカー乗せ編みを説明すると、図３に示されるように、パイル編みにおける裏糸４１を表糸４０と同様にシンカー５０の頭５１に乗せて編む方法であって、この場合には両糸４０、４１とも表糸となり、ゴム糸４４が裏糸の代わりをすることとなる。
【００２４】
従って、シンカー乗せ編みではパイル編みのようなパイル４３はできないが、伸縮弾性が小さく、パイル編みと同じ大きさでありながら、伸びが２倍ないし３倍と大きく、締付けが小さくなるので、靴下は図１に示されるように後半部分２１が前半部分に比して大きくなった形態、具体的には靴べらのような形態をとることとなる。
【００２５】
以上のような靴下を足腰の弱った老人や病人が自分で履く場合、老人や病人が片手で身体を支え、残った手で靴下の履口部１０の後半部分２１を持つが、後半部分２１が前半部分２０に比して大きく、靴べらの形態となっているので、老人や病人にも簡単かつ確実に後半部分２１を手で持つことができる。
【００２６】
次に、爪先を履口部１０内に差し込むが、靴下の履口部１０の後半部分２１は伸縮弾性が前半部分２０に比して小さく、伸びが平編みやパイル編み等に比して２倍以上となるので、履口部１０の後半部分２１は小さな力で大きく伸び、爪先を履口部１０内に簡単にかつスムーズに差し込むことができる。
【００２７】
最後に、爪先を履口部１０に差し込んだ後、靴下を引き上げるが、後半部分２１の小さな伸縮弾性に起因して履口部１０の全体が十分に伸びるので、軽くしかもスムーズに靴下を引き上げて靴下を足に履くことができる。
【図面の簡単な説明】
【図１】  本発明に係る靴下の好ましい実施形態を示す図である。
【図２】  パイル編みを説明するための図である。
【図３】  シンカー乗せ編みを説明するための図である。
【図４】  一般的な靴下を説明するための図である。
【符号の説明】
１０      履口部
１１      レッグ部
１２      足甲部
１３      底部
１４      爪先部
１５      踵部
２０      履口部前半部分
２１      履口部後半部分
【図１】
0003706966.tif 000002
【図２】
0003706966.tif 000003
【図３】
0003706966.tif 000004
【図４】
0003706966.tif 000005